(57)【要約】【課題】            高いコストを伴う電力を消費せずとも、簡単な機械的手法によって木粉又は木屑に対する乾燥方法又は乾燥装置の構成を提供すること。【解決手段】        １０３Ｐａ以下の真空度の環境下にて、木粉又は木屑７に対し加圧を行うことに基づいて木粉又は木屑７を乾燥する方法を実現するために、吸引ポンプ２と連通している密閉室１内に、両側から圧力を加える加圧板３を設け、当該加圧板３の少なくとも一方側に連結柱５をパッキング材６によって摺動自在に支持された状態にて密閉室１から突出させ、加圧機構４と連結していることに基づき、前記課題を達成することができる木粉又は木屑７に対する乾燥装置。【選択図】          図１
2007021825.tif 000002
【特許請求の範囲】
【請求項１】
１０３Ｐａ以下の真空度の環境下にて、木粉又は木屑に対し加圧を行うことに基づいて木粉又は木屑を乾燥する方法。
【請求項２】
加圧の程度を０．３ＭＰａ〜１．５ＭＰａであることを特徴とする請求項１記載の木粉又は木屑の乾燥方法。
【請求項３】
真空度が１０２Ｐａ以下であることを特徴とする請求項１記載の木粉又は木屑の乾燥方法。
【請求項４】
吸引ポンプと連通している密閉室内に、両側から圧力を加える加圧板を設け、当該加圧板の少なくとも一方側に連結柱をパッキング材によって摺動自在に支持された状態にて密閉室から突出させ、加圧機構と連結していることに基づく木粉又は木屑に対する乾燥装置。
【請求項５】
加圧板が上下両側に配置されており、下方の加圧板に抽出された水を落下させるための孔を設けていることを特徴としている請求項３記載の木粉又は木屑に対する乾燥装置。
【発明の詳細な説明】
【技術分野】
【０００１】
本発明は、製材において生じた木粉、更には木材に対する加工にて生じた木屑を利用して他の製品の素材と素材に必要な乾燥工程に関するものである。
【背景技術】
【０００２】
木粉又は木屑を利用して、容器、又はマット（人口芝生用マット及びゴルフ場用マットなどを含む。）を素材とすることは、既に周知又は公知の技術的事項である。
【０００３】
これらの木粉又は木屑を素材として、他の製品を成型するためには、必然的に接着剤を介して木粉及び木屑を成型加圧する工程を不可欠とするが、このような成型加圧を正確に行うためには、木粉又は木屑が十分乾燥されていることが不可欠である。
【０００４】
一般に木材を短時間にて乾燥させるためには、木材が炭化しない程度の高温状態（通常１００〜２００℃）又は電子レンジと同じような電子ビームの照射を行っているが、木粉又は木屑の場合においても、このような方法によって乾燥することが可能である。
【０００５】
しかしながら、このような高温状態の形成又は電子ビームの照射には多大な電力を必要とし、製造コストにおいて極めて不利である。
【０００６】
他方、木粉又は木屑に対し、大気中において加圧することによって、内側に含まれている水分を外部に排出する方法も考えられるが、大気中において含有されている水分を外側に抽出する程度の加圧を行った場合には、木粉又は木屑が加圧によって相互に接合し合った状態に至り、木粉又は木屑の状態を維持することができない。
【０００７】
【特許文献１】特開昭５４−７７３６１号公報
【特許文献２】特開昭６２−２８８００４号公報
【特許文献３】特開平０５−２３７８１２号公報
【特許文献４】特開平０７−３２３１５号公報
【特許文献５】特開平１０−３２９１１０号公報
【発明の開示】
【発明が解決しようとする課題】
【０００８】
本発明は、従来技術の場合のような高いコストを伴う電力を消費せずとも、簡単な機械的手法によって木粉又は木屑に対する乾燥方法又は乾燥装置の構成を提供することを課題とするものである。
【課題を解決するための手段】
【０００９】
前記課題を解決するため、本発明の基本構成は、
（１）１０３Ｐａ以下の真空度の環境下にて、木粉又は木屑に対し加圧を行うことに基づいて、木粉又は木屑を乾燥する方法、
（２）吸引ポンプと連通している密閉室内に、両側から圧力を加える加圧板を設け、当該加圧板の少なくとも一方側に連結柱をパッキング材によって摺動自在に支持された状態にて密閉室から突出させ、加圧機構と連結していることに基づく木粉又は木屑に対する乾燥装置
からなる。
【発明の効果】
【００１０】
前記（１）、（２）の基本構成に基づいて、本発明においては、高価な電力コストを要せずに、単なる機械的な手法によって短時間に木粉又は木屑を乾燥することができる。
【発明を実施するための最良の形態】
【００１１】
本発明においては、木粉又は木屑７に対し、大気圧よりも減圧した環境内に配置することによって、木粉又は木屑７内に含まれている水の分子が自由に飛散し易くなるという現象を利用したことを基本的技術思想としている。
【００１２】
前記（１）の基本構成においては、減圧における真空度を１０３Ｐａ以下、即ち、１／１００気圧以下としているが、この程度の真空度の場合には、木粉又は木屑７に対し含まれている水を抽出するような加圧を行っても、木粉又は木屑７が双方に接着するに至らずに、元の分離した状態を維持することが可能であることに立脚している。
但し、真空度を大きくすることによって乾燥時間は短縮することが可能となる。
【００１３】
例えば、１Ｐａの場合に約３８秒を要する乾燥条件の場合に、真空度を１０−４Ｐａに変化させた場合には、約０．２秒という乾燥時間に短縮することができる。
【００１４】
前記（１）の基本構成における加圧の程度は、木粉又は木屑７の平均体積によっても相違するが、通常０．３ＭＰａ〜１．５ＭＰａ程度の範囲による加圧条件が選択されている。
【００１５】
その根拠としては、０．３ＭＰａ、即ち大気圧の３倍程度未満の場合には、真空度１０３近辺の環境下において効率的な加圧が困難となること、及び１．５ＭＰａ以下とするのは、１．５ＭＰａを超えた場合には、木粉又は木屑７が相互に接着し合って分離した形状を維持することが困難になることに由来している。
【００１６】
前記（２）の基本構成は、前記（１）の乾燥方法に対応する乾燥装置であって、図１（ａ）に示すように、両側の加圧板３の間に木粉又は木屑７を配置し、横から加圧を行い、他方密閉室１を吸引ポンプ２によって吸引し、真空度を順次高めることによって木粉又は木屑７に対する乾燥を実現することが可能となる。
尚、図１（ａ）に示すように、加圧作業を行っている際、木粉又は木屑７が加圧されている範囲から飛散することを防ぐために、変形自在な容器に木粉又は木屑７を収納することが好ましい。
【００１７】
加圧機構４においては、通常油圧シリンダによる加圧装置が採用される場合が多い。
【００１８】
加圧板３と加圧機構４とを連結する連結柱５は、密閉室１内外に設けられており、かつ長手方向に移動可能であり、かつ当該移動にも拘らず、連結柱５と密閉室１の壁部とが密着状態であって、空気の密閉室１内への流入を極力防止するために、パッキング材６を介して摺動自在な状態にて支持されている。
【００１９】
前記パッキング材６による支持構造としては、通常ガスケットパッキングが採用される場合が多い。
【００２０】
パッキング材６の支持によって、空気の漏洩防止を十分なものとするためには、図１（ｂ）に示すように、連結柱５の周囲における壁部を二重以上の状態とし、２個以上のパッキング材６によって連結柱５を締め付けた状態とすると良い。
【実施例】
【００２１】
実施例においては、図２（ａ）、（ｂ）に示すように、前記（２）の装置による基本構成において、加圧板３が上下両側に配置されており、下方の加圧板３に抽出された水を落下させるための孔３１を設けていることを特徴としている。
【００２２】
このような実施例の場合には、密閉室１内における加圧によって、木粉又は木屑７から抽出された水は、下側の加圧板３の孔３１を介して密閉室１の底部に落下することになるが、前記底部に水収集容器９を排出することによって、順次抽出した水分を外部に排出することが可能となる。
【産業上の利用可能性】
【００２３】
本発明は、効率的に木粉又は木屑に対する乾燥を実現し、これによって木粉又は木屑を素材とする容器、更にはマットの製造分野において利用することができる。
【図面の簡単な説明】
【００２４】
【図１】前記（２）の基本構成を示す乾燥装置の側断面図であり、（ａ）は全体構造を示しており、（ｂ）は連結柱と密閉室の壁部による接合部分の構成を示す。
【図２】実施例において、孔を設けた下側の加圧板の構成を示しており、（ａ）は側断面図であり、（ｂ）は平面図である。
【符号の説明】
【００２５】
１：密閉室
２：吸引ポンプ
３：加圧板
３１：孔
４：加圧機構
５：連結柱
６：パッキング材
７：木粉又は木屑
８：木粉又は木屑に対する普通の変形自在な収納容器
９：水収集容器
【図１】
2007021825.tif 000003
【図２】
2007021825.tif 000004